(57)【要約】【課題】本発明はＬＣＤバックライトユニット用集光フィルムに関する。【解決手段】本発明の集光フィルムは、基材部と、上記基材部の上面に位置し、形状が異なる２種以上のレンズの組み合わせから成る単位レンズ群が連続的に配列されている集光部と、上記基材部の下面に位置し、光が透過される開口と光を反射する反射面から成る反射部とを含んで成ることをその特徴とする。このようにして成る本発明の集光フィルムは、従来の集光フィルムに比べて遥かに緩やかな出光分布を有し、視野角及び画面の明るさの均一性の問題を改善する効果をもたらす。【選択図】図５
2010525392.tif 000002
【特許請求の範囲】
【請求項１】
基材部と、
前記基材部の上面に位置し、形状が異なる２以上のレンズの組み合わせから成る単位レンズ群が連続的に配列されている集光部と、
前記基材部の下面に位置し、光が透過される開口と光を反射する反射面から成る反射部を含んで成るＬＣＤバックライトユニット用集光フィルム。
【請求項２】
前記レンズは、レンチキュラーレンズ、プリズムレンズまたは梯形プリズムレンズであることを特徴とする請求項１に記載のＬＣＤバックライトユニット用集光フィルム。
【請求項３】
前記単位レンズ群は、少なくともひとつのレンチキュラーレンズ、及び少なくともひとつのプリズムレンズの組み合わせから成ることを特徴とする請求項１に記載のＬＣＤバックライトユニット用集光フィルム。
【請求項４】
前記単位レンズ群は、その中心にレンチキュラーレンズが配置され、
前記レンチキュラーレンズの両脇に同数のプリズムレンズが配置されることを特徴とする請求項３に記載のＬＣＤバックライトユニット用集光フィルム。
【請求項５】
前記単位レンズ群において、レンチキュラーレンズ対プリズムレンズの個数の比率は１：１から１：４であることを特徴とする請求項３に記載のＬＣＤバックライトユニット用集光フィルム。
【請求項６】
前記レンチキュラーレンズのピッチ(ｐｉｔｃｈ)は、単位レンズ群のピッチ(ｐｉｔｃｈ)の５０％から９０％であることを特徴とする請求項３に記載のＬＣＤバックライトユニット用集光フィルム。
【請求項７】
前記プリズムレンズの頂角は、７０度から１００度程度であることを特徴とする請求項３に記載のＬＣＤバックライトユニット用集光フィルム。
【請求項８】
前記集光フィルムは、その内部に光拡散剤を含むことを特徴とする請求項１に記載のＬＣＤバックライトユニット用集光フィルム。
【請求項９】
前記光拡散剤は、ポリメチルメタクリレート (ｐｏｌｙｍｅｔｈｙｌｍｅｔｈａｃｒｙｌａｔｅ、ＰＭＭＡ)、ポリスチレン、ポリブタジエン、これらの共重合体及びシリカから成る群から選択されることを特徴とする請求項８に記載のＬＣＤバックライトユニット用集光フィルム。
【請求項１０】
前記基材部は、ポリエステルフィルム、ポリ塩化ビニルフィルム、ポリカーボネートフィルム、ポリメチルメタクリレートフィルム、ポリスチレンフィルム、ポリエステルスルホンフィルム、ポリブタジエンフィルム、ポリエーテルケトンフィルム及びポリウレタンフィルムから成る群から選択されることを特徴とする請求項１に記載のＬＣＤバックライトユニット用集光フィルム。
【請求項１１】
前記集光部及び反射部は、硬化性樹脂から成ることを特徴とする請求項１に記載のＬＣＤバックライトユニット用集光フィルム。
【請求項１２】
前記硬化性樹脂は、ウレタンアクリレート、エポキシアクリレート、エステルアクリレート、及びラジカル発生型モノマーから成る群から選択された１種以上を、単独または混合して使用することを特徴とする請求項１１に記載のＬＣＤバックライトユニット用集光フィルム。
【請求項１３】
前記反射部は、凹凸形状で形成されることを特徴とする請求項１に記載のＬＣＤバックライトユニット用集光フィルム。
【請求項１４】
線状光源が一定の間隔で配列された光源と、
前記光源から出る光を均一に拡散させて画面の明るさを均一にする拡散板と、
請求項１から１３のうちいずれか１項に記載の集光フィルムを含んで成る直下型バックライトユニット。
【請求項１５】
エッジ型光源と、
前記光源から出る光を前面方向に変える導光板と、
請求項１から１３のうちいずれか１項に記載の集光フィルムを含んで成るエッジ型バックライトユニット。
【請求項１６】
カラーフィルター基板、ＴＦＴ−アレイ基板、前記カラーフィルター基板及びＴＦＴ−アレイ基板の間に位置する液晶セルから成る液晶パネルと、
線状光源が一定の間隔で配列された光源、前記光源から出る光を均一に拡散させ、画面の明るさを均一にする拡散板、及び請求項１から１３のうちいずれか１項に記載の集光フィルムを含んで成る直下型バックライトユニットを含んで成る液晶表示装置。
【請求項１７】
カラーフィルター基板、ＴＦＴ−アレイ基板、前記カラーフィルター基板及びＴＦＴ−アレイ基板の間に位置する液晶セルから成る液晶パネルと、
エッジ型光源、前記光源から出る光を前面方向に変える導光板及び請求項１から１３のうちいずれか１項に記載の集光フィルムを含んで成るエッジ型バックライトユニットを含んで成る液晶表示装置。
【発明の詳細な説明】
【技術分野】
【０００１】
本発明は、ＬＣＤバックライトユニット用集光フィルムに関するもので、より詳細にはＬＣＤの可視聴範囲を改善し、均一な明るさの画面を具現することができるようにするため、緩やかな出光分布を有するように考案されたＬＣＤバックライトユニット用集光フィルムに関する。
【背景技術】
【０００２】
ＬＣＤ(Ｌｉｑｕｉｄ  Ｃｒｙｓｔａｌ  Ｄｉｓｐｌａｙ、液晶表示装置)とは、一般的に共通電極と色フィルター等が形成されているカラーフィルター基板と、薄膜トランジスタと画素電極等が形成されているＴＦＴ−アレイ基板の間に液晶物質を注入し、画素電極と共通電極に相互異なる電位を印加することによって電界を形成し、液晶分子の配列を変更させることを通じて光の透過率を調節し、画像を表現する装置を言う。
【０００３】
このようなＬＣＤは小型化、軽量化及び低電力消費等多くの利点を有するため、既存のブラウン管の短所を克服することができる代替画像表示手段として注目を浴び、最近ではほぼ全ての画像表示装置に使用されている。
【０００４】
一方、ＬＣＤは自ら発光することができない受動素子であるため、パネルの下部に光を提供するためのバックライトユニットが具備されるが、上記バックライトユニットは、光源の位置によってエッジ型バックライトユニットと直下型バックライトユニットに区分される。図１及び図２は従来のＬＣＤバックライトユニットの構成を説明するための図面で、図１には主に大型ＬＣＤに使用される直下型バックライトユニットが、図２にはエッジ型バックライトユニットが図示されている。
【０００５】
図１に図示されたように、従来の直下型バックライトユニット１の光源１０の上部には拡散板２０、拡散フィルム３０、３０'、集光フィルム４０等の光学フィルムが積層されている。上記光学フィルムは、光源から出光される光の光特性を向上させるためのもので夫々光源の隠蔽、拡散、集光機能を行う。
【０００６】
一方、エッジ型バックライトユニット２は図２に図示されたように、光源１０'、光源から出る光の方向を前面方向に変える導光板５０、拡散フィルム３０、３０'、集光フィルム４０から成っている。
【０００７】
これらバックライトユニットの光学フィルムの構成は、消費者の要求及び要求される製品の用途等に従ってより単純に構成されることも、より複雑に構成されることもできる。例えば、下部拡散フィルム３０または上部拡散フィルム３０'を使用しないこともでき、必要であれば集光フィルムを２枚積層して使用することもできる。
【０００８】
上記光学フィルムのうち集光フィルムは、様々な方向へと広がる光を視聴範囲に集めて画面の輝度を向上させる役割を行うフィルムで、一般的にプリズムフィルムまたはレンチキュラーレンズフィルム等が使用されてきた。最近ではフィルムの下面に反射層が形成されたレンチキュラーレンズフィルムが多く使用されている。
【０００９】
図３には下面に反射層が形成された従来のレンチキュラーレンズ集光フィルム１００が図示されている。図３に図示されたように、反射層が形成された集光フィルム１００は、ポリエステル(ＰＥＴ)フィルム等から成る基材１１０を中心として上部にはレンチキュラーレンズ１２０が連続的に配列されており、下部には反射層１３０が形成されている。この時上記反射層は反射面１５０と開口１４０からなり、開口１４０を通して視聴範囲に集光されることができる光のみが透過され、残りは反射面１５０を通して反射される。
【００１０】
上記のように構成された従来の集光フィルムに透過された光の大部分は、画面の正面方向に集光されて進行するようになる。従って、視聴者が画面の中央でない側面または上下から画面を視聴する場合、視聴者の方向に進行される光の量が少ないため画面の明るさが次第に減少し、その結果画面の上下または左右方向の明るさが不均一になるという問題があった。
【００１１】
図４は従来の集光フィルムの視聴角度による輝度の変化を表すグラフである。図４に図示されたように、視聴角度が０度〜２０度付近では輝度が高いが、この範囲を超えると輝度が急激に減少することがわかる。このような従来の集光フィルムを使用する場合、可視聴範囲が非常に狭くなる。このような現象は、集光フィルムの製造時に基材の厚さがレンズのピッチと類似するか、それより大きい場合にはさらに酷くなる。従って、ＬＣＤの可視聴範囲を改善し、均一な明るさの画面を具現することができるようにするためには集光フィルムの出光分布をより緩やかに改善する必要がある。
【発明の概要】
【発明が解決しようとする課題】
【００１２】
従って本発明は、出光分布が緩やかに調節された集光フィルムを提供し、ＬＣＤの可視聴範囲を改善し、均一な明るさの画面を具現することができるようにすることをその目的とする。
【課題を解決するための手段】
【００１３】
本発明は上記のような目的を達成するため、基材部と、上記基材部の上面に位置し、形状が異なる２種以上のレンズからなる単位レンズ群が連続的に配列されている集光部と、上記基材部の下面に位置し、光が透過される開口と光を反射する反射面から成る反射部と、を含んで成るＬＣＤバックライトユニット用集光フィルムを提供する。
【００１４】
一方、上記単位レンズ群は、ひとつのレンチキュラーレンズ及び多数のプリズムレンズから成ることができ、この時上記単位レンズ群の中心にはレンチキュラーレンズが配置され、上記レンチキュラーレンズの両脇にプリズムレンズが配置されることが好ましい。
【００１５】
また、上記レンチキュラーレンズとプリズムレンズは、その個数の比が約１：１から１：４程度であることが好ましい。
【００１６】
一方、本発明において上記単位レンズ群はそのピッチが１００μｍから３００μｍ 程度であることが好ましく、本発明においては上記レンチキュラーレンズのピッチは上記単位レンズ群のピッチの５０％から９０％で、高さは上記レンチキュラーレンズのピッチの２０％から５０％程度であることが好ましい。また、上記プリズムレンズは頂角が７０度から１００度程度であることが好ましい。
【００１７】
また本発明の上記集光フィルムは、その内部に光拡散剤を含んで成ることができる。上記光拡散剤は、ポリメチルメタクリレート (ｐｏｌｙｍｅｔｈｙｌｍｅｔｈａｃｒｙｌａｔｅ、ＰＭＭＡ)、ポリスチレン、ポリブタジエン、これらの共重合体及びシリカから成る群から選択されることが好ましい。
【００１８】
一方、上記基材部はポリエステルフィルム、ポリ塩化ビニルフィルム、ポリカーボネートフィルム、ポリメチルメタクリレートフィルム、ポリスチレンフィルム、ポリエステルスルホンフィルム、ポリブタジエンフィルム、ポリエーテルケトンフィルム及びポリウレタンフィルムから成る群から選択されることが好ましく、上記集光部及び反射部は硬化性樹脂から成ることが好ましい。この時、上記硬化性樹脂はウレタン アクリレート、エポキシアクリレート、エステルアクリレート及びラジカル発生型モノマーから成る群から選択された１種以上を単独または混合して使用することができる。
【００１９】
他の側面において、本発明は上記集光フィルムを含む直下型またはエッジ型バックライトユニットを提供する。
【００２０】
さらに他の側面において、本発明は上記集光フィルムを含む液晶表示装置を提供する。
【発明の効果】
【００２１】
本発明の集光フィルムは、その上部に形態が異なる多数のレンズから成る単位レンズ群を連続的に配列し、集光フィルムの出光分布を緩やかにすることによって、ＬＣＤの可視聴範囲を広げ、均一な明るさの画面が具現されるようにした。
【００２２】
また本発明は、集光部及び反射部を硬化性樹脂で製造して工程を単純化し、製作を容易にして、光拡散剤を容易に添加することができるようにした。
【００２３】
また、集光フィルム内部に光拡散剤が含まれる場合には、ひとつの光学フィルムで拡散機能及び集光機能を全て行うことができるため、バックライトユニットに使用される光学フィルムの個数を減らすことができ、それにより工程の単純化及び生産コストの節減の効果を得ることができるという長所がある。
【図面の簡単な説明】
【００２４】
【図１】従来の直下型バックライトユニットの構成を表す図面である。
【図２】従来のエッジ型バックライトユニットの構成を表す図面である。
【図３】従来の集光フィルムの構造を表す図面である。
【図４】従来の集光フィルムの視聴角度による出光分布を表すグラフである。
【図５】本発明の集光フィルムの構造を表すための断面図である。
【図６】実施例及び比較例の集光フィルムの視聴角度による出光分布を表すグラフである。
【発明を実施するための形態】
【００２５】
本発明者らは集光フィルムの光学的特性を改善し、緩やかな出光分布を有する集光フィルムを製造するため研究を重ねた結果、ひとつの形態から成るレンズのみでは出光分布を改善するのが難しいという結論を導き出し、集光フィルムの上部に２つ以上の形態が異なるレンズから成る単位レンズ群を連続的に配列することによって、このような問題点を解決することができることが分かり本発明を完成させた。
【００２６】
以下、本発明についてより具体的に説明する。
【００２７】
図５に本発明の集光フィルムが図示されている。以下図５を参照して本発明を説明する。
【００２８】
図５に図示されたように、本発明の集光フィルム２００は基材部２１０、集光部２２０及び反射部２３０から成っている。
【００２９】
（１） 基材部２１０
上記基材部２１０は、後述する集光部２２０及び反射部２３０を支持するためのもので、一般的に高分子フィルムから成り、これに限定されるものではないが、例えば、ポリエステルフィルム、ポリ塩化ビニルフィルム、ポリカーボネートフィルム、ポリメチルメタクリレートフィルム、ポリスチレンフィルム、ポリエステルスルホンフィルム、ポリブタジエンフィルム、ポリエーテルケトンフィルム、ポリウレタンフィルム等の高分子フィルムを使用することができる。
【００３０】
一方、本発明において上記基材部の厚さは、単位レンズ群のピッチに比例するように形成することが好ましい。即ち上記単位レンズ群のピッチが２００μｍである場合、基材部の厚さは１２５から１８８μｍ程度であることが適当で、上記単位レンズ群のピッチが１００μｍである場合には６２．５〜９４μｍ 程度であることが好ましい。
【００３１】
単位レンズ群の幅に対する基材部の厚さが大き過ぎる場合には、集光部に入射される光の量が減って光効率が落ち、反対に、単位レンズ群のピッチに対する基材部の厚さが小さ過ぎる場合には、光学フィルムの機械的特性と製作に困難が生じる。従って、本発明においては、単位レンズ群のピッチに従って基材部の厚さを調節することによって最適な効果を得ることができるようにした。
【００３２】
（２） 集光部２２０
上記集光部２２０は、光を集光させて視聴範囲内の明るさ(輝度)を向上させる役割をするもので、本発明においては形状が異なる２種以上の単位レンズの組み合わせから成る単位レンズ群が連続的に配列されて形成されることを特徴とする。
【００３３】
本発明の単位レンズ群は形状が異なる異種レンズの組み合わせから成り、この時上記単位レンズ群を形成する個々のレンズには、これに限定されるものではないが、例えば、レンチキュラーレンズ、プリズムレンズ、梯形プリズムレンズ等を使用することができる。
【００３４】
また、上記単位レンズ群は、対称性を有するように形成されることが好ましく、特に、対称性の中心が後述する反射部の開口の中心と一致するように形成されることが好ましい。単位レンズ群の形状が対称的でない場合、出光分布がどちらかに傾くことがあり、その結果画像の均一度及び明るさを阻害することがあるためである。
【００３５】
上記のような本発明の集光部の場合、形状が異なるレンズを含んでおり、レンズから出光される光の集光形態が互いに異なり、従って同一の形態のレンズが連続的に配列されていた従来の集光フィルムに比べて緩和された出光分布を得ることができる。
【００３６】
一方、使用される単位レンズの形状、ピッチ、高さ、角度、個数及び単位レンズ群の幅等に従って光の出光分布が異なるため、これを調節し多様な出光分布を有する集光フィルムを製造することができる。
【００３７】
図５には本発明の一実施例が図示されている。図５に図示されたように、本発明の単位レンズ群２２６は少なくともひとつのレンチキュラーレンズ２２２と、少なくともひとつのプリズムレンズ２２４の組み合わせから成ることができる。
【００３８】
この時、単位レンズ群２２６の中心にレンチキュラーレンズ２２２が置かれ、その両脇に同一個数のプリズムレンズ２２４が配置されるようにすることが好ましく、ひとつの単位レンズ群２２６のピッチは１００μｍから３００μｍ程度であることが好ましい。
【００３９】
また、上記単位レンズ群に含まれる上記レンチキュラーレンズ対プリズムレンズの個数の比は１：１から１：４程度であることが好ましい。プリズムレンズの個数がこれより多いと、プリズム部の大きさが非常に小さくなり集光性能及び光利用効率が低下するためである。
【００４０】
一方、上記レンチキュラーレンズのピッチは単位レンズ群の全体のピッチの５０％から９０％程度で、プリズムレンズから成るプリズム部の幅は単位レンズ群のピッチの約１０％から５０％程度であることが好ましい。レンチキュラーレンズのピッチが５０％未満であると、集光効率が落ちて輝度が低くなり、９０％を超えると出光分布の緩和効果がわずかであるためである。
【００４１】
一方、上記プリズムレンズの頂角は７０度から１００度程度であることが好ましいが、プリズムレンズの頂角が上記範囲を外れる場合には、開口を通過し集光部に入射される光が好ましい出光角度を有することができないためである。
【００４２】
一方、図面に図示されてはいないが、場合によってプリズムレンズの代わりに梯形 プリズムレンズを使用することもできる。梯形プリズムレンズはプリズムレンズにおいてピーク(ｐｅａｋ)を平坦に形成したもので、使用者はプリズムレンズの代わりに梯形プリズムレンズを使用することによってプリズムレンズを使用する場合とは異なる出光分布を得ることができる。この時、上記梯形プリズムレンズの平坦面の幅(即ち、上辺の長さ)はプリズムレンズのピッチ(即ち、下辺の長さ)の５０％以内であることが好ましい。
【００４３】
上記のような構造の集光フィルム２００において、出光分布はレンチキュラーレンズのピッチ２２７、プリズムレンズのピッチ２２８、レンチキュラーレンズの形状、プリズムレンズの個数、プリズムレンズの角度、基材部の厚さ、反射部の開口の大きさ等によって異なる。当該技術分野の当業者であれば上記要素を適切に調節することによって、所望の出光分布を有する集光フィルムを製作することができる。
【００４４】
一方、上記集光部２２０は、硬化性樹脂で製造されることができ、上記硬化性樹脂としてはウレタンアクリレート、エポキシアクリレート、エステルアクリレート、ラジカル発生型モノマー等を単独または混合して使用することができる。
【００４５】
上記集光部２２０は、上記硬化性樹脂溶液を、所望の形態が陰刻された金型と上記基材部２１０の間に流し入れて硬化させる方法で形成することができ、適切な金型を製造することによって、多様な形状、高さ及びピッチを有する集光部２２０を形成することができる。
【００４６】
(３) 反射部２３０
反射部２３０は集光されない経路に進行する光を遮断し、視聴範囲内に集光されることができる光のみを透過させ、光の利用効率及び光特性を向上させるためのもので、光を通過させる開口２４０及び光を遮断する反射面２５０で構成される。
【００４７】
本発明の集光フィルムの下部から入射される光のうち、反射部２３０の開口２４０を通して透過される光は、集光部のレンチキュラーレンズとプリズムレンズにより集光される。若し反射部がなければ、上記開口以外の部分においても光が透過されることができる。しかし、開口以外の部分において透過される光は集光部により集光されることができない経路へと動く。従って、本発明では開口を有する反射部を設けて選択的に光を透過し集光に利用し、残りは反射させてリサイクルさせることによって光利用効率を向上させることができるようにした。
【００４８】
一方、本発明の反射部２３０は、図５に図示されたように、凹凸形状で形成されることが好ましい。反射部２３０が凹凸形状で形成される場合、突出部分に反射性インクを塗布する等の方法で簡単に反射面を形成することができ、従来に比べて反射面２５０の形成が容易であるという長所がある。
【００４９】
反射部２３０も硬化性樹脂を利用して形成されることができ、この時上記硬化性樹脂はウレタンアクリレート、エポキシアクリレート、エステルアクリレート、ラジカル発生型モノマー等を単独または混合して使用することができる。
【００５０】
反射部２３０の形成方法は集光部の形成方法とほぼ同一である。即ち、基材部２１０の下面と所望の形態(即ち、凹凸形態)が陰刻された金型の間に上記硬化性樹脂を流し入れて硬化させる。但し反射部の場合には硬化が完了した後に突出部分に反射性インクを塗布する等の方法で反射面を形成する過程がさらに要求される。
【００５１】
一方、本発明の集光フィルムはその内部に光拡散剤を含んで成ることができる。上記光拡散剤を含む集光フィルムは、反射部及び／または集光部を形成する硬化性樹脂に上記樹脂と異なる屈折率を有する拡散粒子を混合した後、上記拡散粒子が混合された硬化性樹脂で反射部及び／または集光部を形成する方法で製造されることができる。この時光拡散剤の添加量は、硬化性樹脂の重量を基準として５から３０重量％程度であることが好ましい。
【００５２】
本発明に使用可能な光拡散剤としては、ポリメチルメタクリレート (ｐｏｌｙｍｅｔｈｙｌｍｅｔｈａｃｒｙｌａｔｅ、ＰＭＭＡ)、ポリスチレン、ポリブタジエン、これらの共重合体及びシリカ等を挙げることができる。
【００５３】
このように集光フィルムの内部に光拡散剤が含まれると、光拡散粒子により集光フィルムに透過された光が散乱、拡散されるため、別途の拡散フィルムを使用しなくても、光の輝度分布が柔らかくなり光特性が改善されるという長所がある。
【００５４】
また、ひとつの光学フィルムで拡散機能及び集光機能を全て行うことができるため、バックライトユニットに使用される光学フィルムの個数を減らすことができ、それによって工程の単純化及び生産コストの節減の効果を得ることができるという長所がある。
【００５５】
本発明はまた、上記のように構成された本発明の集光フィルムを含むバックライトユニットを提供する。本発明のバックライトユニットは、線状光源が一定の間隔で配列された光源と、上記光源から出る光を均一に拡散させ画面の明るさを均一にする拡散板と、上記本発明の集光フィルムを含んで成る直下型バックライトユニットかまたはエッジ型光源と、上記光源から出る光を前面方向に変える導光板と、上記本発明の集光フィルムを含んで成るエッジ型バックライトユニットであることができる。この時、上記本発明のバックライトユニットの集光フィルムの上部及び／または下部には拡散フィルムがさらに具備されることができる。
【００５６】
また、本発明は、上記のように構成された本発明の集光フィルムを含む液晶表示装置を提供する。本発明の液晶表示装置は、カラーフィルター基板、ＴＦＴ−アレイ基板、上記カラーフィルター基板及びＴＦＴ−アレイ基板の間に位置する液晶セルから成る液晶パネルと、線状光源が一定の間隔で配列された光源、上記光源から出る光を均一に拡散させて画面の明るさを均一にする拡散板、及び上記本発明の集光フィルムを含んで成る直下型バックライトユニットを含んで成ることができる。また、本発明の液晶表示装置は、カラーフィルター基板、ＴＦＴ−アレイ基板、上記カラーフィルター基板及びＴＦＴ−アレイ基板の間に位置する液晶セルから成る液晶パネルと、エッジ型光源、上記光源から出る光を前面方向に変える導光板及び上記本発明の集光フィルムを含んで成るエッジ型バックライトユニットを含んで成ることができる。この時上記本発明の液晶表示装置は、本発明の集光フィルムの上部または下部に拡散フィルムをさらに具備することができる。
【実施例】
【００５７】
以下、実施例を通して本発明をより詳細に説明する。但し、当該実施例は本発明の一例に過ぎず、当該実施例により本発明が制限されるものではない。
【００５８】
実施例 
基材として厚さ１８８μｍであるＰＥＴフィルムを使用した。屈折率が約１．５３であるアクリル系ＵＶ硬化型樹脂を金型と基材の間に流し入れて硬化させる方法で１個のレンチキュラーレンズと４個のプリズムレンズで構成された単位レンズ群が連続的に配列された集光部を形成した。この時、レンチキュラーレンズが上記単位レンズ群の中心に来るようにし、上記レンチキュラーレンズの両脇に夫々２個ずつのプリズムレンズを配置した。この時、レンチキュラーレンズのピッチは１２０μｍ、高さは３７μｍで、プリズムレンズの角度(上面に向かうプリズムの二面が接して成す角度)は９０度、単一プリズムのピッチは２０μｍ、単位レンズ群のひとつのピッチは２００μｍであった。
【００５９】
その次に、基材(ＰＥＴフィルム) の下面において硬化型樹脂を金型と基材の間に流し入れて硬化させる方法で開口率が８４μｍである反射部を形成した。上記反射部の突出面に反射型インクを塗布して反射面を形成した。
【００６０】
比較例
基材として厚さ１２５μｍであるＰＥＴフィルムを使用した。屈折率が約１．５３であるアクリル系ＵＶ硬化型樹脂を金型と基材の間に流し入れて硬化させる方法でピッチ２００μｍ、高さ７５μｍであるレンチキュラーレンズが連続的に配列された集光部を形成した。
【００６１】
その次に、硬化型樹脂を金型と基材の間に流し入れて硬化させる方法で基材の下面に開口率が８４μｍである反射部を形成した。上記反射部の突出面に反射型インクを塗布して反射面を形成した。
【００６２】
試験例 ： 出光分布の測定
上記実施例及び比較例の方法で製造された集光フィルムを直下型バックライトユニットの拡散板の上に積層した後、ＥＺＣｏｎｔｒａｓｔＴＭ(ＥＬＤＩＭ社)を利用して視聴角度による出光輝度を測定した。結果は図６に図示されている。図６により、実施例の集光フィルムが比較例の集光フィルムに比べて緩やかな輝度変化を見せることがわかる。
【図１】
2010525392.tif 000003
【図２】
2010525392.tif 000004
【図３】
2010525392.tif 000005
【図４】
2010525392.tif 000006
【図５】
2010525392.tif 000007
【図６】
2010525392.tif 000008
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
基材部と、
前記基材部の上面に位置し、形状が異なる２以上のレンズの組み合わせから成る単位レンズ群が連続的に配列されている集光部と、
前記基材部の下面に位置し、光が透過される開口と光を反射する反射面から成る反射部を含んで成るＬＣＤバックライトユニット用集光フィルム。
【請求項２】
前記レンズは、レンチキュラーレンズ、プリズムレンズまたは梯形プリズムレンズであることを特徴とする請求項１に記載のＬＣＤバックライトユニット用集光フィルム。
【請求項３】
前記単位レンズ群は、少なくともひとつのレンチキュラーレンズ、及び少なくともひとつのプリズムレンズの組み合わせから成ることを特徴とする請求項１に記載のＬＣＤバックライトユニット用集光フィルム。
【請求項４】
前記単位レンズ群は、その中心にレンチキュラーレンズが配置され、
前記レンチキュラーレンズの両脇に同数のプリズムレンズが配置されることを特徴とする請求項３に記載のＬＣＤバックライトユニット用集光フィルム。
【請求項５】
前記単位レンズ群において、レンチキュラーレンズ対プリズムレンズの個数の比率は１：１から１：４であることを特徴とする請求項３または４に記載のＬＣＤバックライトユニット用集光フィルム。
【請求項６】
前記レンチキュラーレンズのピッチ(ｐｉｔｃｈ)は、単位レンズ群のピッチ(ｐｉｔｃｈ)の５０％から９０％であることを特徴とする請求項３から５の何れか１項に記載のＬＣＤバックライトユニット用集光フィルム。
【請求項７】
前記プリズムレンズの頂角は、７０度から１００度程度であることを特徴とする請求項３から６の何れか１項に記載のＬＣＤバックライトユニット用集光フィルム。
【請求項８】
前記集光フィルムは、その内部に光拡散剤を含むことを特徴とする請求項１から７の何れか１項に記載のＬＣＤバックライトユニット用集光フィルム。
【請求項９】
前記光拡散剤は、ポリメチルメタクリレート (ｐｏｌｙｍｅｔｈｙｌｍｅｔｈａｃｒｙｌａｔｅ、ＰＭＭＡ)、ポリスチレン、ポリブタジエン、これらの共重合体及びシリカから成る群から選択されることを特徴とする請求項８に記載のＬＣＤバックライトユニット用集光フィルム。
【請求項１０】
前記基材部は、ポリエステルフィルム、ポリ塩化ビニルフィルム、ポリカーボネートフィルム、ポリメチルメタクリレートフィルム、ポリスチレンフィルム、ポリエステルスルホンフィルム、ポリブタジエンフィルム、ポリエーテルケトンフィルム及びポリウレタンフィルムから成る群から選択されることを特徴とする請求項１から９の何れか１項に記載のＬＣＤバックライトユニット用集光フィルム。
【請求項１１】
前記集光部及び反射部は、硬化性樹脂から成ることを特徴とする請求項１から１０の何れか１項に記載のＬＣＤバックライトユニット用集光フィルム。
【請求項１２】
前記硬化性樹脂は、ウレタンアクリレート、エポキシアクリレート、エステルアクリレート、及びラジカル発生型モノマーから成る群から選択された１種以上を、単独または混合して使用することを特徴とする請求項１１に記載のＬＣＤバックライトユニット用集光フィルム。
【請求項１３】
前記反射部は、凹凸形状で形成されることを特徴とする請求項１から１２の何れか１項に記載のＬＣＤバックライトユニット用集光フィルム。
【請求項１４】
線状光源が一定の間隔で配列された光源と、
前記光源から出る光を均一に拡散させて画面の明るさを均一にする拡散板と、
請求項１から１３のうちいずれか１項に記載の集光フィルムを含んで成る直下型バックライトユニット。
【請求項１５】
エッジ型光源と、
前記光源から出る光を前面方向に変える導光板と、
請求項１から１３のうちいずれか１項に記載の集光フィルムを含んで成るエッジ型バックライトユニット。
【請求項１６】
カラーフィルター基板、ＴＦＴ−アレイ基板、前記カラーフィルター基板及びＴＦＴ−アレイ基板の間に位置する液晶セルから成る液晶パネルと、
線状光源が一定の間隔で配列された光源、前記光源から出る光を均一に拡散させ、画面の明るさを均一にする拡散板、及び請求項１から１３のうちいずれか１項に記載の集光フィルムを含んで成る直下型バックライトユニットを含んで成る液晶表示装置。
【請求項１７】
カラーフィルター基板、ＴＦＴ−アレイ基板、前記カラーフィルター基板及びＴＦＴ−アレイ基板の間に位置する液晶セルから成る液晶パネルと、
エッジ型光源、前記光源から出る光を前面方向に変える導光板及び請求項１から１３のうちいずれか１項に記載の集光フィルムを含んで成るエッジ型バックライトユニットを含んで成る液晶表示装置。
【国際調査報告】
2010525392.tif 000009
2010525392.tif 000010